(57)【要約】【課題】原稿流し撮り用原稿台を副走査方向に移動可能であり、該原稿台の高さ調整も可能であり、それでいて、原稿台移動及び高さ調整のための機構を簡単な構造のもので済ませることができ、さらには該機構の取り付けを画像読取装置筐体の強度を低下させることなく行える画像読取装置を提供する。【解決手段】原稿流し撮り用の原稿台２１を備えた画像読取装置Ａ。装置Ａは、原稿台２１が搭載され、画像読取装置筐体１に沿って副走査方向に可動のスライダ２４及びスライダの駆動機構２７を含む原稿台駆動機構２０を含んでおり、駆動機構２０は、スライダ２４に連結され、往復駆動される可撓性細長部材２７３を含んでおり、スライダ２４は原稿台２１の高さ位置調整機構（２５、２５１、２５１１等）を備えている画像読取装置Ａ。【選択図】  図３
2008136050.tif 000002
【特許請求の範囲】
【請求項１】
原稿流し撮りのための原稿台を備えており、該原稿台の表面に沿って搬送される原稿の画像を該原稿台の裏面側から光学的に読み取り可能の画像読取装置であり、該原稿台を該原稿台表面に沿う原稿移動方向である副走査方向に移動させる原稿台駆動機構を備えており、該原稿台駆動機構は、該原稿台が搭載され、画像読取装置筐体に沿って前記副走査方向に可動のスライダと、該スライダの駆動機構とを含んでおり、該スライダ駆動機構は該スライダに連結され、往復駆動される可撓性細長部材を含んでおり、該スライダは該可撓性細長部材により前記画像読取装置筐体に沿って前記副走査方向に往復動可能であり、該スライダは前記原稿台の高さ位置調整機構を備えていることを特徴とする画像読取装置。
【請求項２】
前記原稿台の高さ位置調整機構は前記画像読取装置筐体に対する前記スライダの高さを調節することで前記原稿台の高さ位置を調節するものである請求項１記載の画像読取装置。
【請求項３】
前記原稿台の高さ位置調整機構は前記スライダに搭載されており、該スライダに対する該原稿台の高さを調節することで該原稿台の高さ位置を調節するものである請求項１記載の画像読取装置。
【請求項４】
前記スライダ駆動機構は、前記副走査方向に間隔をあけて配置された少なくとも２個のプーリを含んでおり、前記可撓性細長部材は該プーリに往復動可能に無端に巻き掛けられており、前記スライダは該２個のプーリの間で該可撓性細長部材に連結され、該可撓性細長部材の往復動に伴って往復動可能である請求項１、２又は３記載の画像読取装置。
【請求項５】
前記スライダ駆動機構は、前記２個のプーリの下方に配置されたプーリを含んでおり、前記可撓性細長部材は該２個のプーリと該下方のプーリに巻き掛けられている請求項４記載の画像読取装置。
【請求項６】
前記可撓性細長部材はタイミングベルトであり、前記各プーリは該タイミングベルト用のプーリである請求項４又は５記載の画像読取装置。
【請求項７】
前記スライダ駆動機構は画像読取装置筐体の外側に設けられている請求項１から６のいずれかに記載の画像読取装置。
【発明の詳細な説明】
【技術分野】
【０００１】
本発明は、原稿流し撮りのための原稿台を備え、該原稿台の表面に沿って搬送される原稿の画像を該原稿台の裏面側から光学的に読み取り可能の画像読取装置に関する。
【背景技術】
【０００２】
この種の画像読取装置においては、原稿流し撮り用の原稿台表面に何らかの原因で（例えば原稿から転移する等して）ゴミが付着した場合、そのゴミを放置したまま原稿流し撮りモードで原稿画像を読み取ると、そのゴミのために画像に筋状のノイズが発生する。
【０００３】
そのため原稿流し撮り用の原稿台を原稿台表面に沿う原稿移動方向である副走査方向に移動させることで、たとえ原稿台にゴミが付着していることがあっても、該ゴミを原稿読取位置からずらすことが提案されている。
【０００４】
例えば、特開２００６−１０１２７３号公報には、原稿台を保持したホルダをカム機構を利用して副走査方向に移動させることが記載されている。同公報には、電磁石、空気圧、油圧等を利用したピストン等の直線運動を生じさせる駆動源を用いた機構により原稿台ホルダを移動させてもよい旨の記載もある。
【０００５】
また既に、図５に例示するように、原稿流し撮り用ガラスをガラスホルダで支持し、該ホルダを画像読取装置筐体に沿って副走査方向に可動とし、該ホルダに設けたラックギアをピニオンギアで駆動することでガラスを往復動させることも提案されている。
【０００６】
【特許文献１】特開２００６−１０１２７３号公報
【発明の開示】
【発明が解決しようとする課題】
【０００７】
ところが、原稿流し撮り用の原稿台は、その高さ位置が正規の高さ位置より高くなりすぎたり、低くなりすぎたりすると、正しく原稿画像を読み取ることができない。
しかし、前記特開２００６−１０１２７３号公報は原稿台の高さ調整について何ら開示するところがない。
【０００８】
特開２００６−１０１２７３号公報に記載の画像読取装置において原稿台の高さを調整するには、カム機構等を利用した原稿台移動機構を原稿台ごと上下動調整可能とすることが考えられるが、それではそのための機構が大がかりとなる。
【０００９】
図５のラック−ピニオン機構によるガラス移動機構を採用する場合も、その機構を原稿台ガラスごと上下させてガラスの高さ調整を行うことが考えられるが、その場合もそのための機構が大がかりとなる。
【００１０】
なお、特開２００６−１０１２７３号公報に記載の画像読取装置において、原稿台ホルダのみを上下させて原稿台の高さ調整を行うことも考えられるが、それでは、カム機構等による原稿台ホルダの副走査方向移動が困難になってくる。
【００１１】
また、図５に示す機構の場合、ラックを有するガラスホルダのみを高さ調整することも考えられるが、それではラックギアとピニオンギアのかみ合いが深くなりすぎたり、浅くなりすぎたりして、いずれもガラスホルダの正常で円滑な駆動が困難になる。
【００１２】
そこで本発明は、原稿流し撮りのための原稿台を備えており、該原稿台の表面に沿って搬送される原稿の画像を該原稿台の裏面側から光学的に読み取り可能の画像読取装置であって、該原稿台を副走査方向に移動可能であるとともに該原稿台の高さ調整も可能であって、それでいて、原稿台移動及び高さ調整のための機構を簡単な構造のもので済ませることができる画像読取装置を提供することを第１の課題とする。
【００１３】
また本発明は、上記第１の課題を解決できるとともに、原稿台移動及び高さ調整のための機構の取り付けを画像読取装置筐体の強度を低下させることなく行える画像読取装置を提供することを第２の課題とする。
【課題を解決するための手段】
【００１４】
前記第１の課題を解決するため本発明は、
原稿流し撮りのための原稿台を備えており、該原稿台の表面に沿って搬送される原稿の画像を該原稿台の裏面側から光学的に読み取り可能の画像読取装置であり、該原稿台を該原稿台表面に沿う原稿移動方向である副走査方向に移動させる原稿台駆動機構を備えており、該原稿台駆動機構は、該原稿台が搭載され、画像読取装置筐体に沿って前記副走査方向に可動のスライダと、該スライダの駆動機構とを含んでおり、該スライダ駆動機構は該スライダに連結され、往復駆動される可撓性細長部材を含んでおり、該スライダは該可撓性細長部材により前記画像読取装置筐体に沿って前記副走査方向に往復動可能であり、該スライダは前記原稿台の高さ位置調整機構を備えている画像読取装置を提供する。
【００１５】
本発明に係る画像読取装置によると、原稿流し撮りのための原稿台は、該原稿台が搭載されたスライダをスライダ駆動機構により画像読取筐体に沿って副走査方向に移動させることで副走査方向に往復動させることができる。該原稿台の移動により、原稿台表面に何らかの原因で（例えば原稿から転移する等して）ゴミが付着した場合でも、そのゴミを原稿画像を読み取る位置からずらすことができ、それにより画像に筋状ノイズが発生することを抑制できる。
【００１６】
スライダは、原稿台の高さ位置調整機構を備えているので、原稿台を正規の高さ位置に調整することもできる。
スライダは原稿台を搭載して画像読取装置筐体に沿って副走査方向に移動でき、原稿台の高さ調整機構を備え、スライダ駆動機構の可撓性細長部材に連結できるものであれば足りるので、構造簡単に安価に作製できる。
【００１７】
なお、原稿台の高さ調整機構は、例えば、スライダに設けた摺動足部であってネジ機構等によりスライダ本体の画像読取装置筐体に対する上下方向高さを調整できるものでスライダ本体の高さを調整して原稿台高さを調整できるようにしたり、原稿台ホルダをスライダ上で該スライダに対しネジ機構等により高さ調整できるようにする等して簡単な構造のもので済ませることができる。
【００１８】
スライダ駆動機構は可撓性細長部材を含むことを基本とするものであり、該細長部材の駆動は、例えば一対のボビンに間に細長部材を渡し、該部材を一方のボビンから繰り出しつつ他方のボビンに巻き取ったり、その逆操作を行ったりすることで、また、例えばプーリに該可撓性細長部材を巻き掛けて駆動できるようにすること等で行うことができる。従ってスライダ駆動機構全体としても簡単な構造のもので済ませることができる。
【００１９】
これらにより、本発明に係る画像読取装置は、原稿台を副走査方向に移動可能であるとともに該原稿台の高さ調整も可能であり、それでいて、原稿台移動及び高さ調整のための機構を簡単な構造のもので済ませることができ、それだけ安価に提供することができる。      
【００２０】
前記原稿台の高さ位置調整機構は、
(1) 画像読取装置筐体に対するスライダの高さを調整することで原稿台の高さ位置を調整するものであっても、
(2) スライダに搭載されていて、該スライダに対する該原稿台の高さを調整することで該原稿台の高さ位置を調整するものであってもよい。
【００２１】
上記の(1) の場合、スライダが、これが連結された可撓性細長部材に対し上下することになるが、該細長部材は可撓性を有しており、原稿台の高さ調整のためのスライダの上下動の範囲は実際には小さいものであるため、原稿台の高さ調整のためのスライダの上下動は可撓性細長部材によるスライダの駆動を妨げることなく可撓性細長部材の撓みで吸収することができる。
【００２２】
このように、本発明に係る画像読取装置における原稿台移動機構はスライダとそれを駆動するスライダ駆動機構を含み、該スライダ駆動機構は、スライダに連結された、往復駆動される可撓性細長部材を採用しているので、従来のカム機構等を利用した原稿台移動機構やラックピニオン機構を利用した原稿台移動機構に対し、原稿台の高さ位置調整機構の選択肢が増え、画像読取装置の設計上の自由度がそれだけ増す利点もある。
【００２３】
上記の(1) の原稿台の高さ位置調整機構として、既述のとおり、例えば、スライダに設けた摺動足部であってネジ機構等によりスライダ本体の画像読取装置筐体に対する上下方向高さを調整できるものでスライダ本体の高さを調整して原稿台高さを調整できるものを挙げることができる。
【００２４】
また、上記の(2) の原稿台の高さ位置調整機構として、既述のとおり、例えば、原稿台ホルダをスライダ上で該スライダに対しネジ機構等により高さ調整できるようにして原稿台高さを調整できるものを挙げることができる。
【００２５】
前記スライダ駆動機構としては、既述のように、例えば一対のボビンに間に細長部材を渡し、該部材を一方のボビンから繰り出しつつ他方のボビンに巻き取ったり、その逆操作を行ったりするものでもよいが、構造簡単で安定した動作を示すものとして、プーリに可撓性細長部材を巻き掛けて駆動できるようにしたものを例示できる。
【００２６】
さらにその例として、副走査方向に間隔をあけて配置された少なくとも２個のプーリを含んでおり、前記可撓性細長部材が該プーリに往復動可能に無端に巻き掛けられており、前記スライダが該２個のプーリの間で該可撓性細長部材に連結され、該可撓性細長部材の往復動に伴って往復動可能であるものを例示できる。
【００２７】
この場合、例えば該２個のプーリのうち何れか一方をモータで正転逆転させることで細長部材を駆動することができる。
或いは、スライダ駆動機構が前記２個のプーリの下方に配置されたプーリを含み、可撓性細長部材が該２個のプーリと該下方のプーリに巻き掛けられてもよい。この場合もいずれかのプーリをモータで正転逆転させることで細長部材を駆動することができる。
【００２８】
可撓性細長部材としては、ベルト、ワイヤ、ロープ等種々のものを採用できるが、スライダを駆動する力を、できるだけ確実に精度よく伝えるために、タイミングベルトとしてもよい。タイミングベルトを採用する場合、前記プーリは該タイミングベルト用のプーリとすればよい。
【００２９】
いずれにしても、このようにスライダ駆動機構は簡単な構造のもで済ませることができる。
【００３０】
前記第２の課題を解決するために、前記スライダ駆動機構は画像読取装置筐体の外側に設けてもよい。
【００３１】
スライダ駆動機構を画像読取装置筐体の外側、例えば該筐体の外側側面に設けることで、筐体内にスライダ駆動機構を設けるとすれば必要になってくることがある該筐体における切欠部や開口部を設ける必要がなくなり、筐体強度を低下させずに済む。
【発明の効果】
【００３２】
以上説明したように本発明によると、原稿流し撮りのための原稿台を備えており、該原稿台の表面に沿って搬送される原稿の画像を該原稿台の裏面側から光学的に読み取り可能の画像読取装置であって、該原稿台を副走査方向に移動可能であるとともに該原稿台の高さ調整も可能であって、それでいて、原稿台移動及び高さ調整のための機構を構造簡単なもので済ませることができる画像読取装置を提供することができる。
【００３３】
また本発明によると、上記効果を達成できるとともに、原稿台移動及び高さ調整のための機構の取り付けを画像読取装置筐体の強度を低下させることなく行える画像読取装置を提供することができる。
【発明を実施するための最良の形態】
【００３４】
図１に本発明に係る画像読取装置の１例Ａを示す。
画像読取装置Ａは、筐体１に次の部品を搭載したものである。すなわち、
原稿流し撮り用原稿台の例である透明ガラス板２１、
原稿を定位置に載置して読み取るための原稿台例である透明ガラス板２２、
ガラス板２１、２２の下方に配置された第１走査ユニット３１及び第２走査ユニット３２、
第１及び第２の走査ユニット３１、３２を原稿副走査方向ａに駆動する駆動機構４、    光電変換撮像素子５２及び光学系（本例ではレンズ）５１等を有する読取ブロック５、  Ａ／Ｄ変換基板６及び
画像処理ユニット７等である。
【００３５】
なお、「原稿副走査方向」及び「副走査方向」とは、原稿の副走査方向であり、図示の画像読取装置Ａにおいてはその左右方向であり、「原稿主走査方向」及び「主走査方向」とは、前記副走査方向に直交する、原稿の主走査方向であり、図示の画像読取装置Ａにおいては画像読取装置Ａの正面側から背面側へ向かう、或いは背面側から正面側へ向かう方向である。
【００３６】
筐体１は、図１、図２に示すように、平面から見ると長方形状を呈する四角形枠体１１に底板１２を取り付け固定したものである。図面には示していないが、さらに補強部材を取り付けてもよい。
【００３７】
枠体１１は画像読取装置Ａの正面側及び背面側にそれぞれ位置して副走査方向ａに延びる溝形部材１１１、１１２と該２本の溝形部材１１１、１１２の左右の各端部を連結する、主走査方向に延びる溝形部材１１３、１１４とで形成されている。
【００３８】
底板１２には後述するインバータユニット９１等の支持板１２０が一体的に突設されている。支持板１２０は筐体１の背面側で外側へ突出している。図２において、１２ｈは原稿自動搬送装置ＡＤＦを開閉可能に取り付けるためのヒンジの連結部である。
【００３９】
ガラス板２１は主走査方向に延びる帯状のものである。ガラス板２２はその上に原稿Ｓを載置できる大きい面積を有するものである。両ガラス板２１、２２は副走査方向ａに若干の間隔を開けて筐体１の上端部に配置されている。ガラス板２２は定位置に高さ調整して固定されているが、ガラス板２１は駆動機構２０により副走査方向ａに往復動可能であるとともにガラス板２２に高さを揃えるられるように高さ調整できるようになっている。駆動機構２０及び高さ調整機構については後ほど詳述する。
【００４０】
第１走査ユニット３１には、透明ガラス板２１又は２２上の原稿Ｓを照明するランプ３１１及び原稿Ｓからの反射光を原稿副走査方向ａにおいて図１上左側（原稿走査開始側）へ向け反射する第１ミラー３１２が搭載されており、さらにランプ光を原稿Ｓへ向ける補助反射部材３１３も搭載さている。
【００４１】
第２走査ユニット３２には、走査ユニット３１の第１ミラー３１２からの反射光を副走査方向ａに反対側（図１上右側の原稿走査エンド側）へ向け折り返し反射する第２及び第３のミラー３２１、３２２が搭載されている。
また、後ほど述べる走査ユニット駆動機構４の一部を構成するプーリ３２３が正面側部位及び背面側部位にそれぞれ回転自在に支持されている。
【００４２】
第１、第２の走査ユニット３１、３２のそれぞれは、各走査ユニットに対応して設けられた図示省略の案内機構（例えば、筐体１の正面側及び背面側の溝形部材１１１、１１２のそれぞれに設置されたガイド部材とこのガイド部材に沿って摺動する走査ユニット上のスライダ）によって副走査方向に移動できる。
【００４３】
駆動機構４は、筐体１の走査エンド側の端部内に位置して筐体１に回転可能に支持された駆動軸４１上の一対の駆動プーリ４１１と、筐体１の走査開示側の端部内に位置して筐体１に回転可能に支持された軸４２上の一対の従動プーリ４２１と、前記第２走査ユニット３２上の一対のプーリ３２３とを含んでいる。
【００４４】
画像読取装置Ａの正面側では、筐体１内のワイヤ連結部４３１に一端が連結されたワイヤ４３が第２走査ユニット３２上のプーリ３２３に下から上へ巻き掛けられて駆動プーリ４１１に至り、該プーリ４１１に上から下へ巻き掛けられて従動プーリ４２１に至り、該プーリ４２１に下から上巻き掛けられて第２走査ユニット３２上のプーリ３２３へ至り、該プーリに今度は上から下へ巻き掛けられ、筐体左端部のワイヤ連結部４３２に連結されている。
【００４５】
画像読取装置Ａの背面側においても同様にもう一本のワイヤ４３が背面側の駆動プーリ４１１、従動プーリ４２１及び走査ユニット３２上のプーリ３２３に巻き掛けられている。駆動軸４１は正逆回転可能のモータ４４にて駆動される。
第１走査ユニット３１は正面側及び背面側の各ワイヤ４３に連結されている。
【００４６】
この駆動機構４によると、モータ４４にて駆動プーリ４１１を回転させることで、第１走査ユニット３１及び第２走査ユニット３２を副走査方向ａに、ガラス板２２上の原稿Ｓを走査開始する位置から走査エンドまで移動させることができる。そのとき、第２走査ユニット３２は第１走査ユニット３１の１／２の速度で移動し、原稿から後述する読取ブロック５の撮像素子５２までの光路Ｌの長さは一定に保持される。原稿走査終了後は当初位置へ復帰させることがきる。
【００４７】
原稿自動搬送装置ＡＤＦにより原稿流し撮りモードで画像を読み取る場合には、原稿流し撮り用透明ガラス板２１に沿って搬送される原稿Ｓを読み取るための所定位置（図１に実線で示す位置）に第１及び第２の走査ユニット３１、３２を配置すればよい。
【００４８】
本発明に係る画像読取装置において原稿流し撮り用原稿台に沿って搬送される原稿の画像を光学的に読み取る手段は上記のものに限定されることはなく、原稿台の下方に配置された、電荷結合素子（ＣＣＤ）を配列してなるラインセンサ等であっても構わない。
【００４９】
読取ブロック５を構成している光電変換撮像素子５２はここで電荷結合素子（ＣＣＤ）を配列してなるラインセンサと通称されているものである。
読取ブロック５は、第２走査ユニット３２から到来する画像情報を含む反射光をレンズ５１によってラインセンサ５２に結像させることができる。
【００５０】
Ａ／Ｄ変換基板６は、ラインセンサ５２から出力されるアナログ信号をデジタル信号に変換するものであり、読取ブロック５の背後（走査エンド側の背後）に配置されている。  ラインセンサ５２はＡ／Ｄ変換基板６の上端部に取付けられている。
【００５１】
画像処理ユニット７は画像処理基板等を含んでおり、Ａ／Ｄ変換基板６に短いハーネス７１で接続され、基板６から出力される画像信号に必要な処理を加える。
【００５２】
画像処理ユニット７は走査エンド側の端部に図示省略のインターフェースコネクタを有しており、該インターフェースコネクタには図示省略のシールドハーネスが接続された対応外部コネクタを画像読取装置外部から着脱することができる。画像処理ユニット７から出力される画像信号は該ハーネスを介して、例えば、画像読取装置Ａを組み合わせた複写機、ファクシミリ機、これらを組み合わせた複合機等の画像形成装置の画像形成部へ供給して、該画像形成部における画像形成に供したり、相手方ファクシミリ機への画像送信に供したり、或いはコンピュータへ供給してディスプレイにおける画像表示やコンピュータに接続されたプリンタでの画像プリント等に供することができる。
【００５３】
筐体１の背面側において外側へ突設した支持板１２０には、図２に示すように、第１走査ユニット３１上のランプ３１１へ電力供給するインバータユニット９１のほか、図示省略の各種中継基板等を搭載できる。走査駆動機構４のモータ４４もこの支持板１２０上に搭載できる。
【００５４】
原稿流し撮り用ガラス板２１に関してさらに説明すると、図３にも示すように、ガラス板２１はホルダ２５に保持されており、ホルダ２５はスライダ２４に搭載されている。スライダ２４は台板２３上に載置されている。
【００５５】
台板２３は主走査方向ｂに延びる部材であり、副走査方向ａにおける両端部に下方へ折り曲げられた部分２３０を有しており、該部分２３０が筐体１の正面側溝形部材１１１及び背面側溝形部材１１２の間に嵌入されることで主走査方向ｂにおける位置が決められており、その状態で溝形部材１１１、１１２に取り付け固定されている。
【００５６】
スライダ２４は主走査方向ｂに延びる板状部材であり、ガラス板２１に対応する部分には図示省略の開口が形成されており、主走査方向ｂにおける各端部には副走査方向ａに長い長孔２４１が形成されている。各長孔２４１には台板２３に立設されたガイドピン２３１が嵌まっている。かくして、スライダ２４は該長孔２４１とガイドピン２３１とにより副走査方向ａに往復動できる。
【００５７】
また、スライダ２４には筐体１の背面側溝形部材１１２の外側へ突出するベルト連結部２４２が一体的に形成されている。
【００５８】
筐体１の背面側の外面部には副走査方向ａに間隔をあけた２個のプーリ２７１が回転可能に支持されているとともに、これらプーリの下方において正逆回転可能のモータＭが取り付けられている。モータＭの回転軸に支持された駆動プーリ２７２が２個のプーリ２７１の中間位置の下方に位置しており、これらプーリにタイミングベルト２７３が巻き掛けられている。プーリ２７１、２７２のそれぞれはタイミングベルト２７３がかみ合う歯付きプーリである。スライダ２４のベルト連結部２４２は２個のプーリ２７１の間でベルト２７３に連結されている。
【００５９】
これらプーリ２７１、２７２、ベルト２７３及びモータＭはスライダ２４の駆動機構２７を構成しており、スライダ駆動機構２７及びガラス板２１を搭載したスライダ２４は、ガラス板２１の駆動機構２０を構成している。
【００６０】
ガラス板駆動機構２０によると、スライダ駆動機構２７のモータＭを運転してベルト２７３を正転又は逆転させることでスライダ２４を副走査方向ａに往動又は復動させ、それによりガラス板２１を副走査方向ａに所望量往移動又は復移動させることができる。
【００６１】
ガラス板２１を保持するホルダ２５は、主走査方向ｂに長い部材であり、ガラス嵌め込み開口部にガラス板２１を嵌め込み保持している。ホルダ２５の主走査方向における正面側端部には、その下側のスライダ部分に副走査方向ａに間隔をあけて立設された２本のネジ２５１が貫通突出しており、各ネジ２５１に雌ねじ部２５１１が螺合されている。ホルダ２５の主走査方向における背面側端部には、その下側のスライダ部分に立設された１本のネジ２５１が貫通突出しており、該ネジ２５１にも雌ねじ部２５１１が螺合されている。
【００６２】
この画像読取装置Ａでは、スライダ２４とホルダ２５との間に、各ネジ２５１に対応させて、予め準備された厚みの異なる（例えは０．１ｍｍ、０．２ｍｍ・・・のように厚みの異なる）高さ調整薄板のうちいずれかのもの２５２を必要に応じ挿入して、雌ねじ部２５１１を緊締することで、ガラス板２１の高さを、例えば予め所定高さ位置に設定された定位置ガラス板２２の高さに揃えるように調整できる。なお、図３では正面側において２本の各ネジ２５１に対応させて挿入することがある高さ調整板の図示を省略している。
これらホルダ２５、ネジ２５１、雌ねじ部２５１１等はガラス板の高さ調整機構を構成している。
【００６３】
ホルダ２５の副走査方向ａにおいて走査エンド側の端部にはガラス板２１に沿って搬送される原稿Ｓを原稿自動搬送装置ＡＤＦの原稿排出トレイへ導くガイド部材２６を設けてある。装置ＡＤＦからガラス板２１へ供給される原稿Ｓは、図１に示すように、装置ＡＤＦに設けたガイドフィルムｇｆによりガラス板２１上へ導かれる。
【００６４】
以上説明した画像読取装置Ａによると、ガラス板２２上に載置した原稿Ｓの画像を走査ユニット駆動機構４にて第１及び第２の走査ユニット３１、３２を副走査方向に移動させて走査し、ラインセンサ５２に結像させて読み取ることができる。また、走査ユニット３１、３２を図１に実線で示す定位置に置いたままガラス板２１に沿って原稿Ｓを移動させることにより該原稿の画像をラインセンサ５２に結像させて読み取ることもできる。
【００６５】
画像読取装置Ａによると、原稿流し撮りのためのガラス板２１は、スライダ２４をスライダ駆動機構２７により画像読取装置筐体１に沿って副走査方向ａに移動させることで副走査方向ａに往復動させることができ、ガラス板２１の移動により、その表面に何らかの原因で（例えば原稿から転移する等して）ゴミが付着した場合でも、そのゴミを原稿画像を読み取る位置からずらすことができ、それにより読み取り画像に筋状ノイズが発生することを抑制できる。
また、ガラス板ホルダ２５をスライダ２４に対し前記のように高さ調整することでガラス板２１のを高さを正規の高さ位置に調整することもできる。
【００６６】
しかも、ガラス板移動機構２０は既述のとおりの構成のものであり、構造簡単に安価に作製できる。
また、スライダ２４は筐体１上に搭載されており、スライダ駆動機構２７は筐体１の外側に配置されているので、もし筐体１内にスライダ駆動機構等を設けるとすれば必要になってくることがある筐体１における切欠部や開口部を設ける必要がなく、筐体１の強度を低下させずに済む。
【００６７】
以上説明した画像読取装置Ａでは、ガラス板２１の高さ調整は、ホルダ２５のスライダ２４に対する高さ調整で行うようにした。しかし、例えば図４に示すように、ガラス板２１はスライダ２４’に固定しておき、スライダ２４’の高さを、それに設けた摺動足部（筐体１上のガイド部材２８０に沿って摺動可能の足部）２８で調整することでガラス板２１の高さを調整できるようにする等してもよい。
【００６８】
摺動足部２８は、筐体１に沿って摺動する部分２８１からネジ２８２を立設してスライダ本体に貫通突出させ、その突出部分に雌ねじ部２８３を螺合させ、部分２８１とスライダ本体との間に必要に応じ高さ調整薄板２８４を挿入し、雌ねじ部２８３を緊締することでスライダ２４’の筐体１に対する高さを調整できるもので、該スライダ高さの調整によりガラス板２１の高さを調整できる。
【００６９】
このような構成を採用すると、スライダ２４’が、これが連結されたベルト２７３に対し上下することになるが、ベルト２７３は可撓性を有しており、ガラス板２１の高さ調整のためのスライダ２４’の上下動の範囲は実際には小さいものであるため、ガラス板２１の高さ調整のためのスライダ２４’の上下動はベルト２７３によるスライダ２４’の駆動を妨げることなくベルト２７３の撓みで吸収することができる。
【産業上の利用可能性】
【００７０】
本発明は、原稿流し撮りのための原稿台を筋状ノイズ発生を抑制するために副走査方向に移動可能であるとともに該原稿台の高さ調整も可能であり、それでいて、原稿台移動及び高さ調整のための機構を簡単な構造のもので済ませることができ、画像読取装置筐体強度も所望のものとしておける画像読取装置を提供することに利用できる。
【図面の簡単な説明】
【００７１】
【図１】本発明に係る画像読取装置の、一部を断面で示す正面図である。
【図２】図１に示す画像読取装置の平面図である。
【図３】原稿流し撮り用ガラス板の駆動機構及び該ガラス板の高さ調整機構の斜視図である。
【図４】原稿台高さ調整機構の他の例を示す図である。
【図５】原稿台駆動機構の従来例を示す図である。
【符号の説明】
【００７２】
Ａ  画像読取装置
１  筐体
１１  四角形枠体
１１１〜１１４  溝形部材
１２  底板
１２０  インバータユニット等の支持板
１２ｈ  ヒンジ取り付け部
２１  原稿流し撮り用透明ガラス板
２２  原稿載置透明ガラス板
２０  ガラス板２１の駆動機構
２３  台板
２３０  台板の折り曲げ部分
２４  スライダ
２４１  長孔
２４２  スライダ２４のベルトとの連結部
２５  ガラス板のホルダ
２５１  ネジ
２５１１  雌ねじ部
２５２    高さ調整薄板
２６  原稿ガイド部材
２７  スライダ駆動機構
２７１、２７２  プーリ
２７３  タイミングベルト
Ｍ  モータ
３１  第１走査ユニット
３１１  照明ランプ３
３１２  第１ミラー
３１３  補助反射部材
３２  第２走査ユニット
３２１  第２反射ミラー
３２２  第３反射ミラー
３２３  プーリ
４    走査ユニット駆動機構
４１  駆動軸
４１１  駆動プーリ
４２  軸
４２１  従動プーリ
４３  ワイヤ
４３１、４３２  ワイヤ連結部
４４  モータ
５  読取ブロック
５１  レンズ
５２    光電変換撮像素子例であるラインセンサ
６    Ａ／Ｄ変換基板
７  画像処理ユニット
７１  ハーネス
９１  インバータユニット
ＡＤＦ  原稿自動搬送装置
ｇｆ    原稿ガイドフィルム
２４’  スライダ
２４０  スライダ本体
２８    摺動足部
２８１  摺動部分
２８２  ネジ
２８３  雌ねじ部
２８４  高さ調整薄板
【図１】
2008136050.tif 000003
【図２】
2008136050.tif 000004
【図３】
2008136050.tif 000005
【図４】
2008136050.tif 000006
【図５】
2008136050.tif 000007